(57)【要約】【課題】外部機器と接続され、データ通信を行っている状態で、イヤホンへの出力回路を検査することが可能な信号入出力回路、携帯電話機器および回路検査方法を提供する。【解決手段】一の外部入出力端子で外部機器とのデータ送受信およびアナログ信号の入出力を行う構成であり、かつ、前記外部入出力端子の機能切替と、前記データ送受信および前記アナログ信号の入出力の動作可否とを外部機器の制御によって行う構成である。【選択図】図１
2009159521.tif 000002
【特許請求の範囲】
【請求項１】
一の外部入出力端子で外部機器とのデータ送受信およびアナログ信号の入出力を行う構成であり、かつ、前記外部入出力端子の機能切替と、前記データ送受信および前記アナログ信号の入出力の動作可否とを外部機器の制御によって行う構成であることを特徴とする信号入出力回路。
【請求項２】
前記外部機器の制御は、外部機器検出回路を有効な際に、前記データ送受信を行う機能へと前記機能切替を実行させ、機能切替後は、前記アナログ信号を無効にさせる第１のコマンドと、
前記第１のコマンド送信完了後、外部機器検出端子兼イヤホンＳＷ検出端子の機能を無効にさせる第２のコマンドとを含むことを特徴とする請求項１に記載の信号入出力回路。
【請求項３】
前記外部機器の制御は、前記第２のコマンド送信完了後、前記外部機器検出回路を無効にさせ、イヤホン処理回路に前記アナログ信号を出力させ、前記外部機器検出端子兼イヤホンＳＷ検出端子の機能を有効にさせる第３のコマンドをさらに含むことを特徴とする請求項２に記載の信号入出力回路。
【請求項４】
アナログ外部入出力回路と、デジタル外部入出力回路とが混在する信号入出力回路であって、
デジタル外部入出力回路の機能を使って混在部分の機能をデジタル外部入出力回路側に設定する第１のコマンド制御手段と、
デジタル外部検出信号回路の機能を指定する第１の外部信号の有無を無効にして前記第１のコマンドを継続させ、前記アナログ外部入出力回路の診断を有効にする第２のコマンド制御手段と、
前記検査回路をアナログ外部入出力回路に切り替え、前記アナログ外部入出力回路の診断を可能にする第３のコマンド制御手段と、
前記アナログ外部入出力回路の機能の有無を指定する第２の外部信号によって前記アナログ外部入出力回路の診断を終了する手段とを有することを特徴とする信号入出力回路。
【請求項５】
請求項１から請求項４のいずれか１項に記載の信号入出力回路を備えることを特徴とする携帯電話機器。
【請求項６】
外部機器とのデータ送受信と、アナログ信号入出力とを同一の外部入出力端子に割り当てた信号入出力回路における回路検査方法であって、
外部入出力端子の機能の切り替えと、データ送受信部機能およびアナログ信号入出力機能の動作可否とを外部機器からの制御データで行うことを特徴とする回路検査方法。
【請求項７】
外部機器検出回路が有効な際に、データ送受信と、アナログ信号とを切り替えるスイッチをデータ送受信に切り替え、以降、イヤホン有り信号を無効にする第１のコマンドを受信させ、
前記第１のコマンド受信後、外部機器検出端子兼イヤホンＳＷ検出端子の機能を無効にする第２のコマンドを受信させることを特徴とする請求項６に記載の回路検査方法。
【請求項８】
前記第２のコマンド受信後、前記外部機器検出回路を無効にさせ、イヤホン処理部に前記アナログ信号を出力させ、前記外部機器検出端子兼イヤホンＳＷ検出端子の機能を有効にする第３のコマンドを受信させることを特徴とする請求項７に記載の回路検査方法。
【請求項９】
アナログ外部入出力回路と、デジタル外部入出力回路とが混在する回路の検査方法であって、
デジタル外部入出力回路の機能を使って混在部分の機能をデジタル外部入出力回路側に設定する第１のコマンド制御工程と、
デジタル外部検出信号回路の機能を指定する第１の外部信号の有無を無効にして前記第１のコマンドを継続させ、前記アナログ外部入出力回路の診断を有効にする第２のコマンド制御工程と、
前記検査回路をアナログ外部入出力回路に切り替え、前記アナログ外部入出力回路の診断を可能にする第３のコマンド制御工程と、
前記アナログ外部入出力回路の機能の有無を指定する第２の外部信号によって前記アナログ外部入出力回路の診断を終了する工程とを有することを特徴とする回路検査方法。
【発明の詳細な説明】
【技術分野】
【０００１】
本発明は、信号入出力回路、携帯電話機器および回路検査方法に関する。
【背景技術】
【０００２】
携帯電話機の薄型化・小型化にあたっては、使用部品の小型化が必要であり、外部入出力部のコネクタについては、形状の小型化に加えて、外部入出力部の端子数の削減を行い小型化を図っている。外部入出力部の端子数の削減にあたっては、同一端子に複数の信号を割り当て、携帯電話機の内部回路にて信号線を切り替える構成としている。
【０００３】
これに関連した、特許文献１に記載の半導体装置は、ＬＳＩパッド１，２の間に端子間の切替回路スイッチ１および切替回路スイッチ２を、それぞれＬＳＩ内部に内蔵させて配置され、テスト制御部の制御信号のレベルにより、切り替えを行っている。これによると、テスト時には端子を共有化でき、共有端子の片側のみに検査装置の配線を行うだけで良くなる。
【０００４】
また、特許文献２に記載の携帯情報端末は、チャネル／フレーム同期回路、送信信号生成回路、符号化／復号化回路、音声Ｃｏｄｅｃ／Ｄｅｃｏｄｅｃ回路、同期後信号及びクロック信号線、復号後信号及びクロック信号線、音声Ｄｅｃｏｄｅｃ後の信号線およびイヤホン・マイクジャックに接続され、各信号線出力をソフトウェア制御で切り替える切替スイッチを備えている。この構成において、ソフトウェア制御によるＢＥＲ測定時には、切替スイッチの切り替えを行う。
【０００５】
このように、外部入出力部の端子数の削減にあたっては、同一端子に複数の信号を割り当て、携帯電話機の内部回路にて信号線を切り替える構成をとることが好ましい。
【０００６】
また、携帯電話機は、外部入出力部を介して外部機器とデータ通信を行い、外部機器の制御により携帯電話機の内部回路の検査を行う機能を有することが好ましい。
【特許文献１】特開２０００−１５５１５３号公報
【特許文献２】特開２００１−３２６５９７号公報
【発明の開示】
【発明が解決しようとする課題】
【０００７】
しかしながら、外部機器とのデータ送受信信号とイヤホン用アナログ出力信号を同一外部入出力端子に割り当てた構成において、次の問題点が生じる。
【０００８】
第１の問題点は、携帯電話機と外部機器を接続しデータ通信を行っている状態では、イヤホンへの出力回路を検査することができないという点である。
【０００９】
第２の問題点は、イヤホンへの出力回路を検査する場合には、筐体を分解しパネル状態にしないと検査することができないという点である。
【００１０】
引用文献１および２においても、この第１の問題点および第２の問題点が生じる。
【００１１】
そこで本発明は、上述した問題点を解決するために、外部入出力端子の機能切替と、前記データ送受信および前記アナログ信号の入出力の動作可否とを外部機器の制御によって行う信号入出力回路、携帯電話機および回路検査方法を提供することを目的とする。
【課題を解決するための手段】
【００１２】
上記の目的を達成するため、本発明にかかる第１の信号入出力回路は、一の外部入出力端子で外部機器とのデータ送受信およびアナログ信号の入出力を行う構成であり、かつ、前記外部入出力端子の機能切替と、前記データ送受信および前記アナログ信号の入出力の動作可否とを外部機器の制御によって行う構成であることを特徴とする。
【００１３】
本発明にかかる第１の回路検査方法は、外部機器とのデータ送受信と、アナログ信号入出力とを同一の外部入出力端子に割り当てた信号入出力回路の検査方法であって、外部入出力端子の機能の切り替えと、データ送受信部機能およびアナログ信号入出力機能の動作可否とを外部機器からの制御データで行うことを特徴とする。
【発明の効果】
【００１４】
本発明によれば、一の外部入出力端子で外部機器とのデータ送受信およびアナログ信号の入出力を行う構成であり、かつ、外部入出力端子の機能切替と、前記データ送受信および前記アナログ信号の入出力の動作可否とを外部機器の制御によって行う構成を有することで、小型でありながら、外部機器と、データ通信を行っている状態においてもイヤホンへの出力回路を検査することが可能な信号入出力回路、携帯電話機および回路検査方法を提供できる。
【発明を実施するための最良の形態】
【００１５】
本発明は、以下を実現する。
【００１６】
携帯電話機と外部機器を接続しデータ通信を行っている状態であっても、イヤホンへの出力回路を検査することを可能とする。
【００１７】
また、イヤホンへの出力回路を検査する場合において、筐体を分解し、パネル状態にしなくても検査することが可能になる。
【００１８】
上記を実現する信号入出力回路、または、この信号入出力回路を備える携帯電話機器、または、回路検査方法について、以下に記載する実施の形態を用いて説明していく。
以下に記載する実施の形態は、好適もしくは、最良と思われる形態であり、これに限定されることはなく、当業者が容易に想到できる範囲内において、変形、修正可能とする。
【００１９】
（第１の実施形態）
本実施形態にかかる信号入出力回路について図１を用いて説明する。
図１は、第１の実施形態にかかる信号入出力回路の構成の一例を示す図である。
【００２０】
本実施形態における信号入出力回路の検査において、図１に示す信号入出力回路に対して行う外部機器からの制御コマンドが２つ設けられる。
【００２１】
１つ目は、外部機器検出１０４をＯＮ出力（Ｈ）し、スイッチＡ１０７を制御することで、イヤホン接続有り（Ｌ）での場合にも外部機器とのデータ送受信を可能とする制御コマンドである。
【００２２】
２つ目は、外部機器検出端子兼イヤホンＳＷ検出端子１１２の状態変化を無効にし、イヤホン接続によりスイッチＢ１０８をイヤホンＳＷ検出部１０５に切り替えた場合にも外部機器とのデータ送受信状態を保持する制御コマンドである。
【００２３】
この制御コマンドを組み合わせることで、携帯電話機と外部機器を接続した状態、かつ、パネル状態にすることなくアナログ信号入出力回路を検査することが可能となる。
【００２４】
図１に示すように、本実施形態にかかる信号入出力回路は、制御部１０１と、外部データ処理部１０２と、イヤホン処理部１０３と、外部機器検出部１０４と、イヤホンＳＷ検出部１０５と、イヤホン検出部１０６と、スイッチＡ１０７と、スイッチＢ１０８と、外部入出部１０９とで構成される。
【００２５】
外部入出力１０９は、データ受信端子兼イヤホン出力Ｒ端子１１０と、データ送信端子兼イヤホン出力Ｌ端子１１１と、外部機器検出端子兼イヤホンＳＷ検出端子１１２と、イヤホン挿抜検出端子１１３とで構成される。
【００２６】
スイッチＡ１０７は、外部データ処理部１０２のデータ送受信信号と、イヤホン処
理部１０３のイヤホン出力Ｒおよびイヤホン出力Ｌ信号を、イヤホン挿抜検出端子１１３と外部機器制御部１０４の制御によって切り替える。
【００２７】
ここで図２を用いて、スイッチＡ１０７の動作条件を示す。
【００２８】
イヤホン挿抜検出端子１１３がＨの場合（イヤホンなしの場合）、データ受信端子兼イヤホン出力Ｒ端子１１０及びデータ送信端子兼イヤホン出力Ｌ端子１１１を外部データ処理部１０２に接続し、イヤホン挿抜検出端子１１３がＬの場合（イヤホン有りの場合）、イヤホン処理部１０３に接続する。
ただし、イヤホン挿抜検出端子１１３がＬの場合（イヤホン有りの場合）でも外部機器検出部１０４の出力ＯＮ（Ｈ）の場合は、外部データ処理部１０２に接続する。
【００２９】
制御部１０１は、外部機器からの受信データにより、外部機器検出１０４の出力ＯＮ／ＯＦＦを制御する。
【００３０】
スイッチＢ１０８は、イヤホン挿抜検出端子１１３の制御により外部機器検出端子兼イヤホンＳＷ検出端子１１２の信号を外部機器検出部１０４とイヤホンＳＷ検出部１０５のどちらかに入力する。
【００３１】
ここで図３を用いて、スイッチＢ１０８の動作条件を示す。
【００３２】
イヤホン挿抜検出端子１１３がＨの場合（イヤホンなしの場合）、外部機器検出端子兼イヤホンＳＷ検出端子１１２を外部機器検出部１０４に接続し、イヤホン挿抜検出端子１１３がＬの場合（イヤホン有りの場合）、イヤホンＳＷ検出部１０６に接続する。
【００３３】
制御部１０１は、外部機器検出部１０４により外部機器検出端子兼イヤホンＳＷ検出端子１１２を監視し外部機器の接続を検出する。
【００３４】
制御部１０１は、外部機器接続を検出した場合、外部通信モードになり外部データ処理部１０１を制御しデータ送受信処理を行う。
【００３５】
外部データ処理部１０１は、データ受信端子兼イヤホン出力Ｒ端子１０９とスイッチＡ１０６を介し図示していない外部機器からデータを受信し、スイッチＡ１０６とデータ送信端子兼イヤホン出力Ｌ端子１１０を介し外部機器にデータを送信し図示しない外部機器とデータ送受信を行う。
【００３６】
また、制御部１０１は、外部機器からの受信データにより、外部機器検出１０４を制御し、外部機器検出端子兼イヤホンＳＷ検出端子１１２の変化を無効にし、外部機器接続なし時でも外部通信モードを保持する。
【００３７】
制御部１０１は、イヤホン検出部１０６によりイヤホン挿抜検出端子１１３を監視
しイヤホンの挿抜検出を行う。
【００３８】
制御部１０１は、イヤホン接続有りを検出した場合、イヤホン処理部１０３を制御し、データ受信端子兼イヤホン出力Ｒ端子１１０及びデータ送信端子兼イヤホン出力Ｌ端子１１１を介して音楽等のアナログ信号を出力する。
【００３９】
また、制御部１０１は、イヤホン接続有り時、イヤホンＳＷ検出部１０６によりイヤホンスイッチのＯＮ／ＯＦＦを検出し、音楽の再生停止などのイヤホンスイッチ状態に応じ制御を行う。
【００４０】
上述した構成を有する信号入出力回路の処理について、さらに詳細に図１から図４を用いて説明を行う。
図４は、本実施形態にかかる信号入出力回路の処理を示すフローチャート図である。
【００４１】
外部機器装着により、外部機器検出部１０４が有り（Ｌ）を検出し、外部機器とのデータ送受信を開始する（ステップＳ４０１）。
【００４２】
外部機器から本発明の１つ目のスイッチＡ制御用コマンドを送出すると、制御部１０１は、外部機器検出１０４をＯＮ出力（Ｈ）し、スイッチＡ１０７を外部データ処理部１０２側にする（ステップＳ４０２）。
【００４３】
外部機器から本発明の２つ目の外部機器とのデータ送受信保持制御用コマンドを送出すると、制御部１０１は、外部機器検出端子兼イヤホンＳＷ検出端子１１２の状態変化を無効にする（ステップＳ４０３）。
【００４４】
外部機器からイヤホン検出状態を確認できるコマンドを送出する（ステップＳ４０４）。
【００４５】
イヤホンを装着した場合にイヤホン挿抜検出端子１１３が有り（Ｌ）となり、制御部１０１は、イヤホン検出部１０６によりイヤホン接続を検出する（ステップＳ４０５）。
【００４６】
制御部１０１は、イヤホン検出部１０６の検査結果としてイヤホン検出応答コマンドをデータ処理部１０２より外部機器に送信する（ステップＳ４０６）。
【００４７】
また、制御部１０１は、外部機器検出端子兼イヤホンＳＷ検出端子１１２の入力の変化を検出し、イヤホンＳＷ検出部１０５の検査結果としてイヤホンＳＷ検出応答コマンドをデータ処理部１０２より外部機器に送信する。
【００４８】
ここで、制御部１０１は、ステップＳ４０２の処理におけるスイッチＡ制御用コマンドを受信し、外部機器検出部１０４をＯＮ出力（Ｈ）するため、イヤホン接続有り（Ｌ）の場合でもスイッチＡ１０７を外部データ処理１０２側に切り替えており、外部機器とのデータ送受信が可能となる。
【００４９】
また、制御部１０１は、ステップＳ４０３の処理で、外部機器とのデータ送受信保持制御用コマンドを受信し、外部機器検出１０４を制御し外部機器検出端子兼イヤホンＳＷ検出端子１１２の変化を無効にするため、イヤホン接続によりスイッチＢ１０８がイヤホンＳＷ検出部１０５に切り替わった場合でも、外部機器検出１０４への入力が外部接続なし（Ｈ）となるが外部機器とのデータ送受信状態を保持することが可能となる。
【００５０】
次に、外部機器からイヤホンアナログデータ出力コマンド送出する（ステップＳ４０７）。ステップＳ４０７の処理後、制御部１０１は、外部機器検出１０４をＯＦＦ出力（Ｌ）し、イヤホン処理部１０３よりアナログ信号を出力させる。また、制御部１０１は、外部機器検出１０４における外部機器検出端子兼イヤホンＳＷ検出端子１１２の状態変化検出を有効にする（ステップＳ４０８）。
【００５１】
これにより、イヤホン挿抜検出端子１１３が有り（Ｌ）となった場合でも、スイッチＡ１０７がイヤホン処理部１０３側に切り替るため外部機器にイヤホンアナログ信号が出力され外部機器での検査が可能となる（ステップＳ４０９）。
【００５２】
制御部１０１は、外部機器とのデータ送受信ができなくなるが、イヤホンを取り外すことで、イヤホン接続無し（Ｈ）となり、スイッチＡが外部データ処理部１０２に切り替るため、以降、制御１０１は、外部機器とデータ送受信が可能となる（ステップＳ４１０）。
【００５３】
外部機器とのデータ送受信とアナログ信号の入出力を同一の外部入出力端子に割り
当てた携帯電話機でもアナログ信号入出力回路の検査を行うことができる。
【００５４】
（第２の実施形態）
本実施形態にかかる信号入出力回路について図５から図７を用いて説明する。
図５は、第２の実施形態にかかる信号入出力回路の構成の一例を示す図である。
図６は、第２の実施形態におけるスイッチＡの動作条件を示す図である。
図７は、第２の実施形態におけるスイッチＢの動作条件を示す図である。
【００５５】
本実施形態にかかる信号入出力回路は、制御部５０１と、外部データ処理部５０２と、イヤホン処理部５０３と、外部機器検出部５０４と、イヤホンＳＷ検出部５０５と、イヤホン検出部５０６と、スイッチＡ５０７と、スイッチＢ５０８と、外部入出部５０９とで構成される。
【００５６】
外部入出力５０９は、データ受信端子兼イヤホンマイク（データ受信端子兼イヤホン出力端子）５１１と、外部機器検出端子兼イヤホンＳＷ検出端子５１２と、イヤホン挿抜検出端子５１３とで構成される。
【００５７】
スイッチＡ５０７は、外部データ処理部５０２のデータ送受信信号と、イヤホン処理部５０３のイヤホン出力信号を、イヤホン挿抜検出端子５１３と外部機器制御部５０４の制御によって切り替える。
【００５８】
ここで図６を用いて、スイッチＡ５０７の動作条件を示す。
【００５９】
イヤホン挿抜検出端子５１３がＨの場合（イヤホンなしの場合）、データ受信端子兼イヤホン出力端子５１１を外部データ処理部５０２に接続し、イヤホン挿抜検出端子５１３がＬの場合（イヤホン有りの場合）、イヤホン処理部５０３に接続する。
ただし、イヤホン挿抜検出端子５１３がＬの場合（イヤホン有りの場合）でも外部機器検出部５０４の出力ＯＮ（Ｈ）の場合は、外部データ処理部５０２に接続する。
【００６０】
制御部５０１は、外部機器からの受信データにより、外部機器検出５０４の出力ＯＮ／ＯＦＦを制御する。
【００６１】
スイッチＢ５０８は、イヤホン挿抜検出端子５１３の制御により外部機器検出端子兼イヤホンＳＷ検出端子５１２の信号を外部機器検出部５０４とイヤホンＳＷ検出部５０５のどちらかに入力する。
【００６２】
ここで図３を用いて、スイッチＢ５０８の動作条件を示す。
【００６３】
イヤホン挿抜検出端子５１３がＨの場合（イヤホンなしの場合）、外部機器検出端子兼イヤホンＳＷ検出端子５１２を外部機器検出部５０４に接続し、イヤホン挿抜検出端子５１３がＬの場合（イヤホン有りの場合）、イヤホンＳＷ検出部５０６に接続する。
【００６４】
制御部５０１は、外部機器検出部５０４により外部機器検出端子兼イヤホンＳＷ検出端子５１２を監視し外部機器の接続を検出する。
【００６５】
制御部５０１は、外部機器接続を検出した場合、外部通信モードになり外部データ処理部５０１を制御しデータ送受信処理を行う。
【００６６】
外部データ処理部５０１は、データ受信端子兼イヤホン出力Ｒ端子５０９とスイッチＡ１０６を介し図示していない外部機器からデータを受信し、スイッチＡ５０６とデータ送信端子兼イヤホン出力端子５１１を介し外部機器にデータを送信し図示しない外部機器とデータ送受信を行う。
【００６７】
また、制御部５０１は、外部機器からの受信データにより、外部機器検出５０４を制御し、外部機器検出端子兼イヤホンＳＷ検出端子５１２の変化を無効にし、外部機器接続なし時でも外部通信モードを保持する。
【００６８】
制御部５０１は、イヤホン検出部５０６によりイヤホン挿抜検出端子５１３を監視
しイヤホンの挿抜検出を行う。
【００６９】
制御部５０１は、イヤホン接続有りを検出した場合、イヤホン処理部５０３を制御し、データ受信端子兼イヤホン出力端子５１１を介して音楽等のアナログ信号を出力する。
【００７０】
また、制御部５０１は、イヤホン接続有り時、イヤホンＳＷ検出部５０６によりイヤホンスイッチのＯＮ／ＯＦＦを検出し、音楽の再生停止などのイヤホンスイッチ状態に応じ制御を行う。
【００７１】
外部機器装着により、外部機器検出部５０４が有り（Ｌ）を検出し、外部機器とのデータ送受信を開始されると、外部機器から本発明の１つ目のスイッチＡ制御用コマンドを送出すると、制御部５０１は、外部機器検出５０４をＯＮ出力（Ｈ）する。
【００７２】
その後、制御部５０１は、スイッチＡ５０７を外部データ処理部５０２側にするように制御する。外部機器から本発明の２つ目の外部機器とのデータ送受信保持制御用コマンドを送出すると、制御部５０１は、外部機器検出端子兼イヤホンＳＷ検出端子５１２の状態変化を無効にする。
【００７３】
外部機器からイヤホン検出状態を確認できるコマンドを送出する。イヤホンを装着した場合にイヤホン挿抜検出端子５１３が有り（Ｌ）となり、制御部５０１は、イヤホン検出部５０６によりイヤホン接続を検出する。
【００７４】
制御部５０１は、イヤホン検出部５０６の検査結果としてイヤホン検出応答コマンドをデータ処理部５０２より外部機器に送信する。また、制御部５０１は、外部機器検出端子兼イヤホンＳＷ検出端子５１２の入力の変化を検出し、イヤホンＳＷ検出部５０５の検査結果としてイヤホンＳＷ検出応答コマンドをデータ処理部５０２より外部機器に送信する。
【００７５】
ここで、制御部５０１は、スイッチＡ制御用コマンドを受信し、外部機器検出部５０４をＯＮ出力（Ｈ）するため、イヤホン接続有り（Ｌ）の場合でもスイッチＡ５０７を外部データ処理５０２側に切り替えており、外部機器とのデータ送受信が可能となる。また、制御部５０１は、外部機器とのデータ送受信保持制御用コマンドを受信し、外部機器検出５０４を制御し外部機器検出端子兼イヤホンＳＷ検出端子５１２の変化を無効にするため、イヤホン接続によりスイッチＢ５０８がイヤホンＳＷ検出部５０５に切り替わった場合でも、外部機器検出５０４への入力が外部接続なし（Ｈ）となるが外部機器とのデータ送受信状態を保持することが可能となる。
【００７６】
また、外部機器からイヤホンアナログデータ出力コマンド送出すると、制御部５０１は、外部機器検出５０４をＯＦＦ出力（Ｌ）し、イヤホン処理部５０３よりアナログ信号を出力させる。
【００７７】
また、制御部５０１は、外部機器検出５０４における外部機器検出端子兼イヤホンＳＷ検出端子５１２の状態変化検出を有効にする。これにより、イヤホン挿抜検出端子５１３が有り（Ｌ）となった場合でも、スイッチＡ５０７がイヤホン処理部５０３側に切り替るため外部機器にイヤホンアナログ信号が出力され外部機器での検査が可能となる。制御部５０１は、外部機器とのデータ送受信ができなくなるが、その後、イヤホンを取り外すことで、イヤホン接続無し（Ｈ）となり、スイッチＡが外部データ処理部５０２に切り替るため、以降、制御５０１は、外部機器とデータ送受信が可能となる。
【図面の簡単な説明】
【００７８】
【図１】第１の実施形態における信号入出力回路の構成の一例を示す図である。
【図２】第１の実施形態におけるスイッチＡの動作条件を示す図である。
【図３】第１の実施形態におけるスイッチＢの動作条件を示す図である。
【図４】第１の実施形態における信号入出力回路の処理を説明するフローチャート図である。
【図５】第２の実施形態における信号入出力回路の構成の一例を示す図である。
【図６】第２の実施形態におけるスイッチＡの動作条件を示す図である。
【図７】第２の実施形態におけるスイッチＢの動作条件を示す図である。
【符号の説明】
【００７９】
１０１、５０１    制御部
１０２、５０２    外部データ処理部
１０３、５０３    イヤホン処理部
１０４、５０４    外部機器検出部
１０５、５０５    イヤホンＳＷ検出部
１０６、５０６    イヤホン検出部
１０７、５０７    スイッチＡ
１０８、５０８    スイッチＢ
１０９、５０９    外部入出部
１１０    データ受信端子兼イヤホン出力Ｒ端子
１１１    データ送信端子兼イヤホン出力Ｌ端子
５１１    データ送信端子兼イヤホンマイク
１１２、５０１    外部機器検出端子兼イヤホンＳＷ検出端子
１１３、５０１    イヤホン挿抜検出端子
【図１】
2009159521.tif 000003
【図２】
2009159521.tif 000004
【図３】
2009159521.tif 000005
【図４】
2009159521.tif 000006
【図５】
2009159521.tif 000007
【図６】
2009159521.tif 000008
【図７】
2009159521.tif 000009